(57)【要約】【課題】操作入力手段として筐体の正面と側面の両方に操作ボタンを設けるタイプの携帯電話機において、従来２つの別々の部品で構成していた正面操作ボタン部と側面操作ボタン部とを１つの部品で一体化構成することにより、操作ボタン組み付け工数の低減と部品コスト低減とを達成すること。【解決手段】弾性体シートに正面操作ボタントップと側面操作ボタントップとが所定デザインで固定された構成の操作ボタン部部品が筐体ケースにおける正面及び側面の内側に沿って折り曲げられて配置されることにより各操作ボタントップが筐体ケースの正面及び側面における所定の開口部に配置される構造を有する。【選択図】　　　　図１
2004088653.tif 000002
【特許請求の範囲】
【請求項１】
筐体の正面と側面に操作ボタンを設ける携帯電話機であって、
弾性体シートに正面操作ボタントップと側面操作ボタントップとが所定デザインで固定された構成の操作ボタン部部品が筐体ケースにおける正面及び側面の内側に沿って折り曲げられて配置されることにより前記各操作ボタントップが前記筐体ケースの正面及び側面における所定の開口部に配置される構造を有することを特徴とする携帯電話機。
【請求項２】
前記弾性体シートにおいて前記正面操作ボタントップを設けた正面部と前記側面操作ボタントップを設けた側面部との折り曲げ部において折り曲げ反力を低減する溝が設けられていることを特徴とする請求項１記載の携帯電話機。
【請求項３】
前記弾性体シートにおいて前記正面操作ボタントップを設けた正面部と前記側面操作ボタントップを設けた側面部との折り曲げ部において折り曲げ反力を低減する切り欠きが設けられていることを特徴とする請求項１記載の携帯電話機。
【請求項４】
前記操作ボタン部部品における側面操作ボタントップが、筐体の表ケースと裏ケースの間で形成される側面開口部に配置される形態を有することを特徴とする請求項１記載の携帯電話機。
【請求項５】
筐体の正面とそれに対する複数の側面に操作ボタンを設ける携帯電話機であって、
弾性体シートに正面部における正面操作ボタントップと複数の側面部における側面操作ボタントップとが所定デザインで固定された構成の操作ボタン部部品が筐体ケースにおける正面及びそれに対する複数の側面の内側に沿って折り曲げられて配置されることにより前記各操作ボタントップが前記筐体ケースの正面及びそれに対する複数の側面における所定の開口部に配置される構造を有することを特徴とする携帯電話機。
【請求項６】
弾性体シートに正面操作ボタントップと側面操作ボタントップとが所定デザインで固定された構成の操作ボタン部部品を筐体ケースにおける正面及び側面の内側に沿って折り曲げて配置して前記各操作ボタントップが筐体ケースの正面及び側面における所定の開口部に収められる工程を有することを特徴とする携帯電話機製造方法。
【発明の詳細な説明】
【０００１】
【発明の属する技術分野】
本発明は、携帯電話機及び携帯電話機製造方法に関し、特に、筐体の正面と側面に操作ボタンを備える携帯電話機及び携帯電話機製造方法に関する。
【０００２】
【従来の技術】
携帯電話機は高機能化が進展しており、ユーザによる入力操作のための手段たる操作ボタン（キー）として、正面操作ボタンと側面操作ボタンを備える機種が開発されている。携帯電話機の筐体の正面（前面）においてダイヤルボタン・機能ボタン・方向入力ボタン等の各種の操作ボタン（キー）が所定のデザインで配置されると共に、筐体側面において所定の機能入力を実現するための操作ボタン（キー）が配置される。
【０００３】
このように筐体の正面と側面の両方において操作ボタンを備えるような高機能機種の携帯電話機では、通常、上記正面操作ボタンと側面操作ボタンとを構成するために正面操作ボタン部分と側面操作ボタン部分とで２つの別々の部品として製作する。そして、それぞれの部品を筐体ケースに組み付けることにより携帯電話機製品を完成させるという製造方法が採用されている。
【０００４】
しかしながら、上記製造方法では、正面操作ボタン部と側面操作ボタン部とを別々の部品で構成するようになっているため、操作ボタン部品の組み付けのための工数の増大と部品コストの増大とを招いている。
【０００５】
図９に、正面操作ボタン部と側面操作ボタン部とを備える従来の携帯電話機の構成について説明するための分解斜視図を示す。この従来の携帯電話機は、大別して、表ケース１０１、正面操作ボタン部１０２、側面操作ボタン部１１１、スイッチ回路１０７、回路基板フレーム１０８、裏ケース１０５を有して構成される。これら各部品が組み立てられることにより、図１０に示すような、筐体側面に側面操作ボタンを備えた携帯電話機筐体が構成される。例として、筐体の一側面において、側面操作ボタンを２つ設けた構成を示している。
【０００６】
表ケース１０１は、筐体正面側のケース部品であり、筐体背面側のケース部品である裏ケース１０５と接合されることにより筐体ケース全体を構成する。表ケース１０１には所定のデザインに基づいて配設すべき正面操作ボタンに応じた開口部が形成されている。
【０００７】
正面操作ボタン部１０２は、支持体となるゴムシート１０６に複数の正面操作ボタントップ１０３が固定された構成の部品である。図中のゴムシート１０６の非図示の側の面（正面側）に正面操作ボタントップ１０３が固定されている。側面操作ボタン部１１１は、ゴムシート１０６と同様の材料あるいは他の材料で構成される支持体に側面操作ボタントップ１０４が固定された構成を持つ部品である。ここでは例として２つの側面操作ボタンを設ける場合の構成を示している。
【０００８】
筐体ケース１０１及び１０５の一側面部（本例では正面に対して左側面部）には、この両ケース部品が接合された状態において筐体側面に側面操作ボタン部１１１の操作ボタントップ１０４を配置するために、側面操作ボタントップ１０４の形状に応じた開口部（凹状）が設けられている。
【０００９】
このように、上記従来の携帯電話機では、操作ボタン部を構成する部品として、正面操作ボタン部１０２と側面操作ボタン部１１１の２つの異なる部品を使用している。
【００１０】
ゴムシート１０６は、複数の正面操作ボタントップ１０３を固定する支持体となる部品であり、シリコンゴム等の弾性体材料で構成される。ゴムシート６は、表ケース１０１とスイッチ回路１０７との間に配置される。スイッチ回路１０７には、配設される各操作ボタンに対応して可撓性のドーム形状の部分が設けられている。基板フレーム１０８には、配設される各操作ボタンに対した接点部が設けられている。
【００１１】
携帯電話機筐体の組み立ての工程において、図９に示した順で、筐体ケース１０１（表ケース）と１０５（裏ケース）の間に各部品が収容される。配設される操作ボタンごとに、筐体ケースにおける開口部、正面操作ボタン部１０２あるいは側面操作ボタン部１１１における操作ボタントップ１０３／１０４、スイッチ回路１０７におけるドーム部分、及び基板フレーム１０８における接点部がそれぞれ対応した配置構成を持っている。
【００１２】
筐体への操作ボタン部の組み付け作業時において、正面操作ボタン部部品１０２と、側面操作ボタン部部品１１１とは、それぞれ別々に筐体表ケース１０１の内面へ組み付けされることとなる。
【００１３】
操作ボタンの押下によるスイッチＯＮ／ＯＦＦの仕組みについて簡単に説明しておくと、ユーザによる操作ボタントップの押下によりスイッチ回路１０７におけるドーム部分に力が加わってドームが撓み、これによりドーム部上面が基板フレーム１０８における接点部に接地すると電気的な導通がなされ、これをもってスイッチがＯＮあるいはＯＦＦされる仕組みである。
【００１４】
なお、上記従来技術例及び後述の発明の実施形態においては、操作入力手段としてのスイッチの方式として、ボタントップ（キートップ）と、それを支持するゴムシートと、可撓性を持つドームと、接点部とで構成されるタイプのものについて記載しているが、これに限ることなくその他の方式のスイッチも設けることができる。
【００１５】
なお、公開されている技術として例えば特許文献１にも携帯電話機の筐体側面において操作ボタンを設ける構成について記載されている。この技術では、携帯電話機筐体側面において防水及び滑り止めの機能を持たせるためのゴム（「無端状シールゴム３」）が設けられ、そのゴム部において操作ボタン（「機能ボタン１３、１４、２６」）が設けられることについて記載されている。このゴム部は防水及び滑り止めの機構として設けられる旨が記載されており、本発明の構成における正面操作ボタン部及び側面操作ボタン部を構成するためのゴム部品とは異なるものである。
【００１６】
【特許文献１】
特開平１０−１６４１９６号公報（図１等）
【００１７】
【発明が解決しようとする課題】
本発明は、かかる問題点に鑑みてなされたものであり、操作入力手段として筐体の正面と側面の両方に操作ボタンを設けるタイプの携帯電話機において、従来２つの別々の部品で構成していた正面操作ボタン部と側面操作ボタン部とを１つの部品で一体化構成することにより、操作ボタン組み付け工数の低減と部品コスト低減とを達成できる携帯電話機及びその製造方法を提供することを目的とする。
【００１８】
【課題を解決するための手段】
かかる目的を達成するために、請求項１記載の発明は、筐体の正面と側面に操作ボタンを設ける携帯電話機であって、弾性体シートに正面操作ボタントップと側面操作ボタントップとが所定デザインで固定された構成の操作ボタン部部品が筐体ケースにおける正面及び側面の内側に沿って折り曲げられて配置されることにより各操作ボタントップが筐体ケースの正面及び側面における所定の開口部に配置される構造を有することを特徴としている。
【００１９】
請求項２記載の発明は、請求項１記載の発明において、弾性体シートにおいて正面操作ボタントップを設けた正面部と側面操作ボタントップを設けた側面部との折り曲げ部において折り曲げ反力を低減する溝が設けられていることを特徴としている。
【００２０】
請求項３記載の発明は、請求項１記載の発明において、弾性体シートにおいて前記正面操作ボタントップを設けた正面部と前記側面操作ボタントップを設けた側面部との折り曲げ部において折り曲げ反力を低減する切り欠きが設けられていることを特徴としている。
【００２１】
請求項４記載の発明は、請求項１記載の発明において、操作ボタン部部品における側面操作ボタントップが、筐体の表ケースと裏ケースの間で形成される側面開口部に配置される形態を有することを特徴としている。
【００２２】
請求項５記載の発明は、筐体の正面とそれに対する複数の側面に操作ボタンを設ける携帯電話機であって、弾性体シートに正面部における正面操作ボタントップと複数の側面部における側面操作ボタントップとが所定デザインで固定された構成の操作ボタン部部品が筐体ケースにおける正面及びそれに対する複数の側面の内側に沿って折り曲げられて配置されることにより各操作ボタントップが筐体ケースの正面及びそれに対する複数の側面における所定の開口部に配置される構造を有することを特徴としている。
【００２３】
請求項６記載の発明は、弾性体シートに正面操作ボタントップと側面操作ボタントップとが所定デザインで固定された構成の操作ボタン部部品を筐体ケースにおける正面及び側面の内側に沿って折り曲げて配置して各操作ボタントップが筐体ケースの正面及び側面における所定の開口部に収められる工程を有することを特徴としている。
【００２４】
【発明の実施の形態】
以下、本発明の実施の形態を添付図面を参照しながら詳細に説明する。構成要素には記号を付与して区別する。図１は、本発明の第１の実施の形態における携帯電話機の構成を示す分解斜視図である。以下の本発明の実施形態の説明においては、実施形態として特に折り畳み型の携帯電話機（ヒンジ部を介して上部筐体と下部筐体が回動可能に接続される構成）で操作ボタン部が具備される方の下部筐体の構造について示す。特に折り畳み型の機種でなくとも本発明は適用できる。図１中で、上方が携帯電話機筐体の背面（裏面）であり、下方が携帯電話機筐体の正面（表面、前面、操作入力部面）である。
【００２５】
また、図２は、図１の各部品が組み立てられることにより構成される携帯電話機の外観（特に背面側から見た外観）を示す図である。図２中に示されるように、本発明の携帯電話機では、筐体側面に操作ボタン（側面操作ボタン）を設けている。本実施形態では、例として、携帯電話機筐体の一側面において２つの操作ボタンを設ける形態について示す。
【００２６】
図１で、本実施形態の携帯電話機は、大別して、表ケース１、操作ボタン部部品２、スイッチ回路７、回路基板フレーム８、及び裏ケース５を有して構成され、製品製造時にこれら各部品が組み立てされることにより構成される。操作ボタン部部品２は、ゴムシート６に、複数の正面操作ボタントップ３、側面操作ボタントップ４が所定デザインで固定化されて構成される単一の部品である。
【００２７】
本発明の特徴は、正面操作ボタンと側面操作ボタンを備える構成において、操作ボタン部の構成として従来は正面操作ボタン部と側面操作ボタン部とで別々の部品で構成されていたのを一体部品化する。操作ボタン部を構成するゴムシート６は、従来よりも側面操作ボタン部を設ける分の領域を延長して設計、形成され、所定数の正面操作ボタントップと側面操作ボタントップとがこの同一のゴムシート６面の所定位置に固定、配置される。図１では、点線枠で示す部品２が、側面操作ボタン部１２を含めて一体構成した操作ボタン部部品である。
【００２８】
製品製造時の操作ボタン組み付け工程において、正面と側面とを持つ筐体表ケース１の内側面に対し、内側面の形状に沿って操作ボタン部部品２（ゴムシート６）を折り曲げて配置する。図１では、側面操作ボタン部１２が正面部に対して約９０度折り曲げられた状態で示している。側面操作ボタントップ４は、ゴムシート６の側面部１２が折り曲げられて筐体ケース１（表ケース）と５（裏ケース）とで形成される筐体側面の開口部に露出、収容されるように配置される。
【００２９】
本発明の携帯電話機及びその製造方法では、上記のように従来２つの別々の部品で構成していた操作ボタン部を同一部品で一体構成するため、操作ボタン組み付け工数の低減と部品コスト低減という効果を得ることができる。
【００３０】
操作ボタン部部品２は、弾性体材料で構成された支持体であるゴムシート６に、複数の正面操作ボタントップと側面操作ボタントップとが所定デザインで配置、固定された部品である。ゴムシート６は、シリコンゴム等を材料として形成される。ゴムシート６は、筐体ケース１とスイッチ回路７の間に配置される。操作ボタン部部品２に形成される各操作ボタン（キー）の操作ボタントップ（３、４）、筐体ケースにおける開口部（貫通穴）、スイッチ回路７に形成されているドーム、及び回路基板フレーム８における接点部等が対応する。
【００３１】
スイッチ回路７は、各操作ボタントップに対応して可撓性のドーム形状の部分が設けられ、所定の回路が形成されている部品である。回路基板フレーム８は、プロセッサやメモリ等の各種デバイスや回路が形成された基板であり、筐体内部においてスイッチ回路７、操作ボタン部部品２等を支持する。
【００３２】
筐体ケース全体を構成する表ケース１と裏ケース５の一側面部には、筐体側面において側面操作ボタントップ４を配置、収容するための開口部が設計、形成されている。
【００３３】
ユーザによる操作ボタントップの押下により、ゴムシート６及びボタンに対応するドーム部分が撓んで回路基板フレーム８における接点部に接地／非接地することにより電気的にスイッチがＯＮ／ＯＦＦされる。
【００３４】
本実施形態でも示したような、可撓性のドームを利用したスイッチ方式は公知技術である。スイッチの詳細な方式は各種存在する。本発明の、筐体の正面部と側面部に設ける操作ボタントップを単一のシート６にて固定した部品を設ける構成において、ドームを利用した方式の操作ボタン以外にも各種の方式の操作ボタンを混在して設けることができる。
【００３５】
図３は、図２に示すような本発明の第１の実施形態の携帯電話機の筐体のＡ−Ａ線の断面図を示す。表ケース１の内側面に、正面操作ボタントップ３と側面操作ボタントップ４と各操作ボタントップを所定位置に固定しているゴムシート６からなる操作ボタン部部品２が配置される。
【００３６】
表ケース１に設けられている貫通穴を通して正面操作ボタントップ３が露出する。また、側面操作ボタントップ４は、表ケース１の内側面に沿ってゴムシート６が折れ曲がることによって、表ケース１と裏ケース５の接合により筐体ケース側面に形成される開口部から露出、配置される。
【００３７】
ゴムシート６の内側には、正面操作ボタントップ３及び側面操作ボタントップ４に相対するスイッチ回路７が配置され、そのスイッチ回路７を内側から支える回路基板フレーム８が配置される。
【００３８】
図４は、表ケース１に操作ボタン部部品２を組み付ける際に、操作ボタン部部品２におけるゴムシート６が表ケース１の内側面に沿って折れ曲がる様子について表した断面図である。
【００３９】
携帯電話機製品の組み立て工程において、表ケース１の面へ操作ボタン部部品２を押さえ入れることで操作ボタン部２のゴムシート６が表ケース１の形状に沿って折れ曲がるという特性を利用して、側面操作ボタントップ４が予め設計されている所定の開口位置に収容される構造となっている（ゴムシート６における側面操作ボタン部の領域の形状や筐体ケース１、５における開口部の位置等が予め設計されている）。
【００４０】
なお、図１では、操作ボタン部部品２において側面操作ボタン部部分１２を正面部に対し約９０度で折り曲げた形で示しているが、平面状のシート６が表ケース１内側面に配置される際にこのように折り曲がる形となる。
【００４１】
以上のように上記実施形態の携帯電話機及びその製造方法では、正面操作ボタン部と側面操作ボタン部を同一部品として一体化構成することで、従来の構成のように側面操作ボタン部部品（１１１）を別途設ける必要が無く、操作ボタン部の構成に必要な部品数が従来と比べて１点減少しているので、操作ボタン組み付け工数と共に部品コストも削減できるという効果が得られる。
【００４２】
なお、上記実施形態では、筐体ケース全体の構成として表ケース１と裏ケース５とで構成される典型的な構成について示しており、筐体側面は、表ケース１と裏ケース５における側面部分の組み合わせにより構成される。
【００４３】
本発明の他の実施形態について説明する。図５に、本発明の第２の実施形態における携帯電話機の操作ボタン部部品２の構成について示す。第２の実施形態の携帯電話機の操作ボタン部の構成では、第１の実施形態で示したような操作ボタン部部品２におけるゴムシート６において、その折り曲げ部（正面部と側面部の境界部）に溝９を設ける。特に、ゴムシート６の折れ曲がりの山側にＶ字型溝９を設ける。溝９の形状はＶ字型に限らなくとも良い。
【００４４】
このような構成により、ゴムシート６の折れ曲がり状態における折れ曲がり反力（元の平面形状に戻る力）を低減した構成とし、筐体ケースへの折り曲げ配置作業を容易化する。操作ボタン部部品２におけるゴムシート６を筐体ケース１へ組み付ける作業の途中においてゴムシート６の折れ曲がり反力によって操作ボタン部部品２が所定の配置位置から外れたりずれたりすることを防止することができる。このように、操作ボタン部部品組み付け時の作業をより容易化し、操作ボタン部部品組み付け工程における手間をさらに低減することができる。
【００４５】
また、操作ボタン部部品２のゴムシート６の折り曲げ部に設けた溝９は、図６の操作ボタン部部品２の折り曲げ部に関する二面図に示すように、切り欠き形状１０等に変更してもゴムシ―ト６の折れ曲がり反力を低減する効果を達成できる。切り欠き形状１０は、半円、抜き穴、角など任意の形状に設計可能である。
【００４６】
上記のように操作ボタン部部品２を構成するゴムシート６の折り曲げ部に、折り曲げ反力を低減させる溝９や切り欠き形状１０を設ける構成とすることにより、ゴムシート９の折り曲げ位置のばらつきも無くし、操作ボタン部部品組み付け作業中にゴムシート９が筐体ケースから浮き上がってしまう等の作業性の悪化を防止することができる。
【００４７】
上述した実施形態では、筐体の（正面に対しての）一側面において側面操作ボタンを設ける構成を示したが、本発明の概念は筐体の有する複数の側面において操作ボタンを設ける構成についても適用することができる。本発明の第３の実施形態として、筐体正面に対して上側側面、右側側面、左側側面、下側側面等の中で任意に組み合わせ選択して側面操作ボタンを設ける構成とする。例えば、図７に、筐体正面に対して３つの側面において、側面操作ボタン部（１２ａ、１２ｂ、１２ｃ）を設ける例を示す（※正面部の操作ボタントップは図示を省略する。点線部は折り曲げ線を示す）。１つの操作ボタン部部品を構成する各側面部（１２ａ、１２ｂ、１２ｃ）において、ゴムシート６における凸状の張り出し部分と側面操作ボタントップ４とを所定の設計に基づき適宜備えた構成となる。
【００４８】
第３の実施形態の構成とすることで、携帯電話機筐体に側面操作ボタンを設けるに際して、選択・組み合わせた側面数分だけ従来より部品数を削減でき、また対応して操作ボタン部組み付け工数及び部品コストを削減できる。
【００４９】
また、上述の各実施形態では、側面操作ボタン部１２として、操作ボタントップの形状や数に応じた分の領域を正面部から凸状に張り出す形状として設計した例を示した。これに限らず、図８に示すように、側面操作ボタン部１２におけるゴムシート６による操作ボタントップ支持体部分の形状は、矩形形状等の簡単なゴムシート面積延長の形状としてこの延長領域の所定位置に側面操作ボタントップ４を配置するように操作ボタン部部品２を設計、形成しても良い（※正面操作ボタントップは図示を省略する。点線部は折り曲げ線を示す）。
【００５０】
またさらに、上述の各実施形態では、携帯電話機の筐体において正面と約９０度の角度を成す関係で側面操作ボタンが配置される構成を示したが、このような９０度の配置関係に限らず、筐体の形状に応じて所定の角度αの増減を許容して（９０±α）度の配置関係で同様に側面操作ボタンを構成することも可能である。例えば、筐体において正面と側面が形成する角度が６０度の形状である場合でも、前述実施形態と同様の構成及び製造手順に従って筐体側面に沿ってゴムシート６を折り曲げて側面操作ボタンを設けることができる。
【００５１】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
【００５２】
【発明の効果】
以上の説明から明らかなように、本発明によれば、操作ボタンとして正面操作ボタンと側面操作ボタンとを設けるタイプの携帯電話機において、従来では正面操作ボタンと側面操作ボタンとを別々の部材で構成していたのを一体構造化し、側面操作ボタン部は操作ボタン部部品を構成するゴムシートを筐体ケースに沿って折り曲げて配置する構造とすることにより、操作ボタン組み付け工数の低減と部品コストの低減という効果を得ることができる。
【００５３】
また、特に請求項２や３に記載の発明では、操作ボタン部部品のゴムシートの折り曲げ部に折り曲げ反力を低減させる溝や切り欠き形状等を設けることにより、ゴムシート折り曲げ位置のばらつきを低減して操作ボタン部組み付け作業中にゴムシートが浮き上がってしまう等の作業性の悪化を防止し、操作ボタン部組み付け作業をさらに容易化することができる。
【００５４】
また、特に請求項４記載の発明では、筐体ケースを表ケースと裏ケースとで構成し、筐体側面において表ケースと裏ケースとで挟んで形成される開口部において側面操作ボタントップを配置する構造において上記効果を得ることができる。
【００５５】
また、特に請求項５記載の発明では、筐体の正面に対する複数の側面において側面操作ボタンを設ける構成とし、選択・組み合わせされる側面数分に応じた操作ボタン組み付け工数の低減と部品コスト低減の効果を得ることができる。
【図面の簡単な説明】
【図１】本発明の第１の実施の形態における携帯電話機の構成を示す分解斜視図である。
【図２】本発明の第１の実施の形態における携帯電話機の外観を示す図である。
【図３】本発明の第１の実施の形態における携帯電話機での操作ボタン部部品２の配置関係を示す断面図（Ａ−Ａ断面）である。
【図４】本発明の第１の実施の形態における携帯電話機でのゴムシート６の折り曲げの様子について示す断面図である。
【図５】本発明の第２の実施の形態における携帯電話機の操作ボタン部部品２の構成（Ｖ字型溝９）を示す図である。
【図６】本発明の第２の実施の形態における携帯電話機の操作ボタン部部品２の構成（切り欠き形状１０）を示す図である。
【図７】本発明の第３の実施の形態における携帯電話機の操作ボタン部部品２の構成を示す図である。
【図８】側面操作ボタン部１２の形状の他の例について示す図である。
【図９】従来の正面操作ボタンと側面操作ボタンを設けるタイプの携帯電話機の構成について示す分解斜視図である。
【図１０】図９の携帯電話機の外観について示す図である。
【符号の説明】
１　表ケース
２　操作ボタン部部品
３　正面操作ボタントップ
４　側面操作ボタントップ
５　裏ケース
６　ゴムシート
７　スイッチ回路
８　回路基板フレーム
９　Ｖ字型溝
１０　切り欠き形状
１２　側面操作ボタン部
１０１　表ケース
１０２　正面操作ボタン部部品
１０３　正面操作ボタントップ
１０４　側面操作ボタントップ
１０５　裏ケース
１０６　ゴムシート
１０７　スイッチ回路
１０８　回路基板フレーム
１１１　側面操作ボタン部部品
【図１】
2004088653.tif 000003
【図２】
2004088653.tif 000004
【図３】
2004088653.tif 000005
【図４】
2004088653.tif 000006
【図５】
2004088653.tif 000007
【図６】
2004088653.tif 000008
【図７】
2004088653.tif 000009
【図８】
2004088653.tif 000010
【図９】
2004088653.tif 000011
【図１０】
2004088653.tif 000012